(57)【特許請求の範囲】
【請求項１】
廃棄プラスチックを投入するための投入部を設けたケーシングと、このケーシング先端を開放可能に閉塞するように構成し、ケーシングの内外を連通する排出ノズルを有し、中央内側に先端側軸受を設けたダイスプレートと、ケーシング内を長手方向に伸びるように配置し、先端を前記先端側軸受に、また後端を後端側軸受にそれぞれ回転可能に支持されるスクリウとからなる減容機のスクリウ回転支持機構であって、先端側軸受は、ダイスプレートの中央内側に、軸受凹部を有する軸受部材を取り外し可能に取り付けて構成する一方、スクリウ先端に、前記軸受凹部に回転可能に嵌合しうる支持軸を取り外し可能に取り付けたことを特徴とする減容機のスクリウ回転支持機構。
【請求項２】
スクリウをその長手方向に位置調節可能となすとともに、軸受部材の軸受凹部の内周面を、その外側から奥側に向かって徐々に内径が小さくなるようなテーパー状に形成する一方、支持軸の外周面を、前記軸受凹部の内周面と接合しうるようなテーパー状に形成することを特徴とする請求項１に記載した減容機のスクリウ回転支持機構。
【発明の詳細な説明】
【０００１】
【発明の属する技術分野】
本発明は、投入部に投入された廃棄プラスチックをスクリウの回転により、排出ノズルを有するダイスプレートに向けて移動、圧縮し、この圧縮熱によって溶融状態となして減容し、前記排出ノズルから棒状に押し出す減容機に係り、特に、スクリウの回転支持機構に関する。
【０００２】
【従来の技術】
上記従来のスクリウ回転支持機構は、ダイスプレートの中央内側に軸受凹部を一体形成する一方、スクリウ先端に支持軸を一体形成して構成していた。
【０００３】
【発明が解決しようとする課題】
上記従来例は、ダイス側の軸受凹部、あるいはスクリウ側の支持軸が磨耗したり破損した場合は、ダイスプレート全体、あるいはスクリウ全体を交換しなければならないという問題があった。本発明は、この問題を解消することを課題とし、この課題を解決した減容機のスクリウ回転支持機構を提供することを目的とする。
【０００４】
【課題を解決するための手段】
この目的を達成するために、請求項１に記載した本発明は、廃棄プラスチックを投入するための投入部を設けたケーシングと、このケーシング先端を開放可能に閉塞するように構成し、ケーシングの内外を連通する排出ノズルを有し、中央内側に先端側軸受を設けたダイスプレートと、ケーシング内を長手方向に伸びるように配置し、先端を前記先端側軸受に、また後端を後端側軸受にそれぞれ回転可能に支持されるスクリウとからなる減容機のスクリウ回転支持機構であって、先端側軸受は、ダイスプレートの中央内側に、軸受凹部を有する軸受部材を取り外し可能に取り付けて構成する一方、スクリウ先端に、前記軸受凹部に回転可能に嵌合しうる支持軸を取り外し可能に取り付けたことを特徴とするものである。
【０００５】
また、請求項２に記載した本発明は、請求項１に記載した発明の構成に加えて、スクリウをその長手方向に位置調節可能となすとともに、軸受部材の軸受凹部の内周面を、その外側から奥側に向かって徐々に内径が小さくなるようなテーパー状に形成する一方、支持軸の外周面を、前記軸受凹部の内周面と接合しうるように、基部から外側に向かって徐々に内径が小さくなるようなテーパー状に形成することを特徴とするものである。
【０００６】
【発明の実施の形態】
以下に、本発明の減容機のスクリウの分解工具に係る好適な実施の形態を添付図面に基づいて詳細に説明する。ここにおいて、添付図面の図１は減容機の正面図、図２は同じく平面図、図３はスクリウの拡大縦断面図、図４はスクリウ部分を示す部分拡大平面図、図５は要部の部分拡大縦断面図、図６は支持軸の縦断面図、図７は同じく正面図、図８は軸受体の縦断面図、図９は同じく正面図である。
【０００７】
図１、図２、図４に示すように、減容機１は、廃棄プラスチックを投入するための投入部２を設けたケーシング３と、このケーシング３先端を開放可能に閉塞するように構成し、ケーシング３の内外を連通する複数の排出ノズル４を有し、中央内側に先端側軸受５を設けたダイスプレート６と、ケーシング３内を長手方向に伸びるように配置し、先端を前記先端側軸受５に、また後端を後端側軸受（図示せず）にそれぞれ回転可能に支持される一対のスクリウ７とからなる。前記両スクリウ７は、回転駆動機構８に連繋され、上部から見て互いに内側に向けて回転するように構成する。
【０００８】
図５〜図９に示すように、先端側軸受５は、ダイスプレート６の中央内側に設けた凹所９に分離可能に嵌合した、軸受凹部１０を有する軸受部材５ａを、ビス１１によって取り外し可能に取り付けて構成する。この軸受部材５ａの軸受凹部１０の内周面１０ａは、その外側から奥側に向かって徐々に内径が小さくなるようなテーパー状に形成する。
【０００９】
また、凹所１２を形成したスクリウ７先端には、前記軸受凹部９に回転可能に嵌合するように形成した支持軸１３の突部１４を、該凹所１２に分離可能に嵌合し、ビス１５と後述する固定ビス２１によって取り外し可能に取り付けるものである。この支持軸１３の外周面１３ａは、外側に向かって徐々に内径が小さくなるようなテーパー状に形成するもので、このテーパー形状は、前記軸受凹部１０の内周面１０ａと接合しうるように、基部から外側に向かって徐々に内径が小さくなるようなテーパー状に形成する。また、この支持軸１３中央には、固定ビス２１の頭部２１ａが納まる凹部１６ａとこの凹部１６ａの底部に、前記固定ビス２１の軸部分が挿入しうる透孔１６ｂが設けてある。また、凹所１２に固定ビス２１の頭部２１ａが納まるものである。
【００１０】
図３〜図５に示すように、スクリウ７は、ケーシング３内を長手方向に伸びるように配置する断面六角形の回転軸１７に、この回転軸１７と嵌合可能な断面六角形の中心孔をそれぞれ有し、外周にスクリウ羽根をそれぞれ備えたスクリウ後端パーツ（図示せず）、３個のスクリウパーツ１８ｂ，１８ｃ，１８ｄ、先端を閉塞したスクリウ先端パーツ１８ａを順次嵌合し、前記回転軸１７先端とスクリウ先端パーツ１８ａの閉塞端部１９を前述の固定ビス２１によって取り外し可能に固定してなる。そして、このスクリウ先端パーツ１８ａが、前記スクリウ７先端を構成するものであり、閉塞端部１９に前記凹所１２を設け、この凹所１２から反対側に貫通する分解用雌螺旋孔２０を設けてある。前記固定ビス２１は、前記支持軸１３の凹部１６ａと透孔１６ｂと分解用雌螺旋孔２０を貫通して、回転軸１７先端に設けた固定用雌螺旋孔２２に螺合させることによって、支持軸１３とスクリウ先端パーツ１８ａと回転軸１７を固定するのである。
【００１１】
また、スクリウ７と一体の回転軸１７は、ケーシング３内において、その長手方向に移動して位置調節ができるように配置してある。そして、スクリウ７をダイスプレート６の先端側軸受５で軸支している状態において、軸受凹部１０と支持軸１３との間に隙間が生じる場合は、回転軸１７をダイスプレート６側に移動しする。このように、回転軸１７を位置調節すると、軸受凹部１０の内周面１０ａと支持軸１３の外周面１３ａがテーパー状に形成されているので、前記隙間が減少することになる。なお、前記隙間が大きいと、ここから軸受凹部１０内に溶融した廃棄プラスチックが流入してスクリウ７の回転に支障が出る。
【００１２】
前記固定用雌螺旋孔２１は、必要に応じてスクリウ７を分解する際に、引抜シャフト（図示せず）を螺合させて、この引抜シャフトを引き出すことによってスクリウ先端パーツ１８ａを引き抜くためのものである。
【００１３】
また、図４に明示したように、スクリウ先端パーツ１８ａ、各スクリウパーツ１８ｂ，１８ｃ，１８ｄ及びスクリウ後端パーツ（図示せず）が連接したときには、それぞれのスクリウ羽根が連続した螺旋を形成するように構成してある。さらに、図示しないスクリウ後端パーツの嵌合孔は、後端の内周形状を断面円形で徐々に拡径するテーパー面を有するように構成し、このテーパー面に対応する前記回転軸１７の外周形状も断面円形で徐々に拡径するテーパー面となすことにより、前記スクリウ後端パーツの位置決めと抜け止めを図っている。
【００１４】
図１及び図２に示すように、回転駆動機構８は、両スクリウ７の各回転軸１７後端を回転可能に支持する後端側軸受（図示せず）を配置するとともに、一方の回転軸１７と他方の回転軸１７を連動回転させるためのギヤ（図示せず）を備えたギヤボックス２３と、このギヤボックス２３のギヤ（図示せず）にカップリング２４を介して連繋する減速機２５と、この減速機２５に連動機構２６を介して連繋する駆動モータ２７とからなる。
【００１５】
図２及び図４に示すように、ダイスプレート６は、ケーシング３先端に、支軸２８で横方向に開閉するように枢着され、その外側には、各排出ノズル４から排出する減容プラスチックを所定長に切断するためのカッター部２９を枢軸３０を中心に開閉するように設ける。このカッター部２９は、各排出ノズル４の先端近傍を、モーター３１によって一定周期で回転する一対の切断刃（図示せず）を設けてある。また、ダイスプレート６の前記各ノズル４先端部分には、棒状に排出される溶融プラスチックがダイスプレート６表面に付着するのを防止するための付着防止板３２を設ける。また、ダイスプレート６は、枢軸２８とは反対側にケーシング３にロック部材３３を設けてダイスプレート６とカッター部２９の閉じられた状態でロックするようにしてある。
【００１６】
前記駆動モータ２７を駆動すると、その回転力が連動機構２６、減速機２５、カップリング２４、ギヤボックス２３内のギヤ（図示せず）を介して両方の回転軸１７に伝達し連動回転する。両スクリウ７は、各回転軸１７の回転で、廃棄プラスチックが投入される側である上側において互いの内側に向けて回転し、連続したスクリウ羽根によって、投入部２から投入された廃棄プラスチック（図示せず）をダイスプレート６に向けて移動させる。
【００１７】
続いて、廃棄プラスチックは、ダイスプレート６に押し付けられて圧縮され、減容するとともに、圧縮熱と図示しないヒーターの加熱によって溶融して減容プラスチックとなり、排出ノズル４からダイスプレート６の外部に棒状に押し出され、カッター部２９の切断刃（図示せず）によって所定の長さに切断され、プラスチックピースとなって図示しない容器等に収容する。前記プラスチックピースは自然冷却して固まり、取扱いが容易なものとなる。
【００１８】
以上のように構成したスクリウ回転支持機構は、例えば長期間の使用によって、ダイスプレート６側の軸受部材５ａ、あるいはスクリウ７側の支持軸１３が磨耗したり、破損した場合は、ダイスプレート６を枢軸２８を中心に開いてビス１１を外し、先端側軸受部材５ａを交換したり、ビス１５、固定ビス２１を外して支持軸１３を交換するのである。
【００１９】
なお、本発明は上記実施形態になんら限定されるものではなく、例えば、上記のように、２機のスクリウ７を備えた減容機ではなく、１機のスクリウを備えた減容機に適用してもよい。また、上記のように、スクリウ７は回転軸１７とスクリウパーツ１８ａ，１８ｂ，１８ｃ，１８ｄを嵌合して組み立てる構造のものでなくてもよい。
【００２０】
【発明の効果】
以上のように、請求項１に記載した本発明は、ダイスプレート側の先端側軸受部材、あるいはスクリウ側の支持軸の交換が容易であるだけでなく、これらの部材のみを交換し、ダイスプレートやスクリウの交換を行う必要がないので、経済的であるという効果を奏する。
【００２１】
また、請求項２に記載した本発明は、請求項１に記載した発明の効果に加えて、軸受凹部と支持軸間の隙間をスクリウの位置調節によって減少させることができ、軸受凹部内に溶融した廃棄プラスチックが流入することを防止できるという効果を奏する。
【図面の簡単な説明】
【図１】減容機の正面図。
【図２】同じく平面図。
【図３】スクリウの拡大縦断面図。
【図４】スクリウ部分を示す拡大平面図。
【図５】分解工具の工具本体の正面図。
【図６】同じく側面図。
【図７】引抜シャフトの正面図。
【図８】引抜操作部材の斜視図。
【図９】ガイドシャフトの正面図。
【符号の説明】
１  減容機
２  投入孔
３  ケーシング
４  駆動機構
５  先端側軸受
５ａ  軸受凹部
６  ダイスプレート
７  スクリウ
８  回転駆動機構
９  凹所
１０  軸受凹部
１１  ビス
１２  凹所
１３  支持軸
１４  突部
１５  ビス
１６  透孔
１７  回転軸
１８ａ  スクリウ先端パーツ
１８ｂ，１８ｃ、１８ｄ  スクリウパーツ
１９  閉塞端部
２０  凹所
２１  固定軸
２２  固定用雌螺旋
２３  ギヤボックス
２４  カップリング
２５  減速機
２６  連動機構
２７  駆動モータ
２８  枢軸
２９  カッター部
３０  枢軸
３１  モーター
３２  付着防止板
３３  ロック部材
【図１】
0003683153.tif 000002
【図２】
0003683153.tif 000003
【図３】
0003683153.tif 000004
【図４】
0003683153.tif 000005
【図５】
0003683153.tif 000006
【図６】
0003683153.tif 000007
【図７】
0003683153.tif 000008
【図８】
0003683153.tif 000009
【図９】
0003683153.tif 000010